(57)【要約】【課題】産業廃棄物の回収業務など、決められた場所を定期的に巡回する作業において、初めて業務を行う人に対しては巡回する場所を全て教えなくてはならない。特に目的地が多数ある場合には教える手間と時間がかかってしまう。さらに、巡回するべき場所を忘れてしまい、抜かして巡回してしまう可能性が高くなる。【解決手段】巡回ルートの何番目を目的地として設定するかを記憶部に記憶し、次の目的地をルート設定するボタン、前の目的地を再度ルート設定するボタンで設定できる機能を制御部に設ける。巡回済みの属性が付与されていない目的地情報があった場合に、未巡回ボタン押下で巡回していない目的地を設定する。【選択図】図１
2006145376.tif 000002
【特許請求の範囲】
【請求項１】
ナビゲーションシステムにおいて、現在位置を目的地情報として保存する際に、登録順を巡回ルートの立ち寄り順として扱う。登録した複数の目的地情報は巡回ルートとしてリスト化して取り扱う。このリストは記憶装置に保存され、制御部やその他のコンピュータ機器や通信機器から編集ができるものとする。現在位置を１つのボタン押下で目的地情報として登録できるように、目的地登録ボタンを制御部に設ける。また、現在位置を経由値として登録するボタンを制御部に設ける。ルート設定中の目的地を削除や変更を設定するためのボタンを設ける。ただし、本体の大きさなどの問題からボタンの数が確保できない場合に、１つのボタンでこれらの機能と後述の機能と合わせて兼ねる手段を制御部の機能として用意する。制御部は巡回ルートの何番目を目的地として設定するかを記憶し、次の目的地をルート設定するボタン、前の目的地を再度ルート設定するボタンで設定できる機能を制御部に設ける。
【請求項２】
現在位置が目的地と合致した場合に記憶装置にある目的地情報に対して自動的ないしは巡回済みボタン押下で巡回済みの属性を付与する。その時に自動的に次の目的地をルート設定する。巡回済みの属性が付与されていない目的地情報があった場合に、未巡回ボタン押下でその目的地情報を検索し、次の目的地としてルート設定をする機能を制御部に設ける。また、通信部でネットワークからメッセージを受信した時にその内容をナビゲーションシステムへ送信をする。
【発明の詳細な説明】
【技術分野】
【０００１】
本発明は、貨物の回収や配達をする業務で、多数の目的地を巡回する場合にナビゲーションシステムの操作を簡易化し、かつ確実に全ての目的地を巡回する為の装置である。
【背景技術】
【０００２】
集配業務の効率化を目的とした発明で、下記特許等がある。
【特許文献１】特開平０８−１１５４９７この他にも目的地に対して順番を指定したり、その管理を行う巡回支援システムは数多く存在する。しかし、それらの発明は自動処理で行う物が主でシステム全体の規模が大きくなってしまい、開発面および運用面でのコストがより多くかかってしまう。この発明は、既存の外部から制御可能なナビゲーションシステムを用いて、ルートの巡回業務をより安価で簡単に実現できる制御装置である。
【発明の開示】
【発明が解決しようとする課題】
【０００３】
産業廃棄物の回収業務など、決められた場所を定期的に巡回する作業において、初めて業務を行う人に対しては巡回する場所を全て教えなくてはならない。特に目的地が多数ある場合には教える手間と時間がかかってしまう。また、ナビゲーションシステムには目的地を記憶する機能はあるが、それぞれの目的地に対して順番が割り振れないので、目的地に到着するたびに次の目的地を一覧の中から検索しなくてはならない。特に初めて業務を行う人が巡回する作業やナビゲーションシステムの操作に慣れていなかった場合に巡回するべき場所を忘れてしまい、抜かして巡回してしまう可能性が高くなる。
【課題を解決するための手段】
【０００４】
制御部には請求項の機能を実現するために複数のボタンが設置されている。ナビゲーションシステムは制御部と通信することで目的地の設定、現在位置の取得、制御部からのメッセージを表示させるなどの機能を有した既存のナビゲーションシステムである。目的地登録ボタンを押下することにより、制御部はナビゲーションシステムから現在位置を取得し、前にルート設定した目的地から次に立ち寄る場所として記憶装置に登録をする。目的地登録をする時に次に立ち寄るべき目的地があった場合は、登録した目的地の次に立ち寄る場所として更新を行う。また、目的地としてではなく経由地として現在位置を登録するボタンも有する。経由地はナビゲーションシステムの機能を利用する際に、システムが計算するルートよりも良いルートがある場合に、そのルート上にある適当な地点で登録することで目的地への経由地としてナビゲーションシステムへルート設定される。
【０００５】
記憶装置に保存されている巡回ルートのリストは電子ファイル形式で保存されており、一般のコンピューター機器で順番や地点の変更ができる。
【０００６】
巡回開始ボタンを押下した時、ないしはナビゲーションコントローラの電源投入時や、記憶装置の接続時に制御装置は巡回リストの一番最初の目的地をナビゲーションシステムにルート設定を行う。運行を開始し、許容された範囲内で現在位置と目的地の地点が一致した時点で、その目的地情報に巡回済みの属性を付与する。もしくは、範囲内に近づいただけで目的地に立ち寄っていない事も考えられるので、巡回済みボタンを押下した時点で巡回済みの属性を付与する方法をとる場合もある。この方法の選択は制御部で設定を行う。
【０００７】
目的地に着き、作業が終わり次の目的地へ向かう時は次の目的地をルート設定するボタンを押下する。このボタンと、巡回済みボタンは１つのボタンで兼ねることもできる。この場合、次の目的地をルート設定するボタンを押下した時に、許容された範囲内で現在位置と目的地の地点が一致した時点で、その目的地情報に巡回済みの属性を付与する。地点が一致しなかった場合は巡回済みの属性を付与しないで、次の目的地をルート設定をする。
【０００８】
予定変更など何らかの事情で、ルートの順番が変更になった場合に、次の目的地をルート設定するボタンと前の目的地をルート設定するボタンを使用して次に立ち寄る目的地を変更することができる。
【０００９】
予定変更で目的地を変更した場合に、巡回ルート上で以前の目的地で立ち寄っていない目的地が発生する。この時に未巡回ボタンを押下すると、以前の目的地で巡回済みの属性が無い目的地を検索し、ナビゲーションシステムにルート設定をする。
【００１０】
通信部は携帯電話やPDAと接続し、ネットワーク網と接続を行う。または通信部自体がネットワークへ接続する機能を有する場合もある。通信部がネットワークから電子メールやショートメッセージなどのメッセージを受信した時に、その内容をナビゲーションシステムに送る。ナビゲーションシステムでは画面に受信をしたメッセージを表示する。また、通信部から巡回リストへ目的地の登録ができる。その際はメッセージ内にリストへ挿入する符号ないしは番号を付加し、任意の巡回順に目的地を登録することができる。
【発明の効果】
【００１１】
本発明により、あらかじめ巡回ルートを登録しておくことで、初めて業務を行う人が巡回ルートを教わる事無く業務を遂行することができるようになる。また、巡回ルートの次の目的地の設定が容易になり、各目的地について確実に立ち寄った事が確認できるようになる。
【発明を実施するための最良の形態】
【００１２】
図１はナビゲーションコントローラのブロック構成図である。ナビゲーションコントローラ内は、ボタンの入力やナビゲーションシステムを制御する制御部、巡回ルートを保存する記憶装置、通信機器から目的地を追加登録するための通信部に分かれる。図２はナビゲーションコントローラの概観図で入力用のボタン図２−１〜４、電源スイッチ図２−５、記憶装置の脱着口図２−６を搭載している。ただし、ボタンの数は機能の割り当て方や兼ね合わせの手段などで変化する。
【００１３】
記憶装置が接続されている状態で電源スイッチからナビゲーションコントローラに電源を投入する。記憶装置に巡回ルートが保存されている時に、次の目的地をルート設定するボタン図２−４を押下すると、最初の目的地がナビゲーションシステムにルート設定される。またこの方法は電源投入時にボタンを押下しなくても、電源投入時や、電源が点いている状態で記憶装置を接続した時に、自動的に最初の目的地がルート設定する方法も考えられる。さらに巡回開始ボタンとして新規にボタンを設置する方法も考えられる。経由地が登録されていた場合は経由地もルート設定に追加登録を行う。
【００１４】
巡回時の操作手順を図３に表す。最初の目的地が設定され、目的地に着き作業を終えたらボタン図２−４を押下し、次の目的地のルート設定を行う。この時経由地が設定されている場合は経由値をナビゲーションシステムに設定をする。１つ前に立ち寄った場所をルート設定しなおす場合は前の目的地をルート設定するボタン図２−３を押下し、以前の巡回ルート上の目的地をルート設定する。ボタン図２−４やボタン図２−３の連続操作により巡回ルートの順番を飛ばしてルート設定することができる。以前の巡回ルートの中で飛ばした目的地がある場合は、未巡回ボタン図２−２を押下することで、制御部がまだ立ち寄っていない目的地を検索し、ナビゲーションシステムにルート設定をする。立ち寄ったかどうかの判定方法は請求項２の通りである。巡回リストが全て巡回済みになった時に、その旨を告げるメッセージをナビゲーションシステムに送る。また、ネットワークからメッセージを受信した時にその内容をナビゲーションシステムに送る。
【００１５】
記憶装置に新しい目的地を登録する場合は、登録する場所に着いた時に目的地登録ボタン図２−１を押下すると記憶装置に現在位置を追加登録をする。その操作手順が図４である。記憶装置に目的地情報が何も登録されていない時は最初の目的地として設定される。記憶装置に目的地情報が登録されている場合、巡回ルート上の目的地で巡回済みの最新の属性が付加されている目的地の次の目的地として挿入追加される。目的地の挿入追加する場合を図に表したのが図５になる。経由地の設定も同様に行うことができる。また、新しい目的地を登録するボタンが確保できなかった場合に、巡回ルートを編集するモードを制御部に設ける。通常の巡回を行うモードと巡回ルートを編集するモードの切り替えは、スイッチやジャンパで短絡する方法や、電源投入時に決められた単数ないしは複数のキーを押しながら電源を投入した時にモードを切り替えることができる。この場合に目的地を新しく追加するボタン以外に、ルート設定中の目的地を現在位置として巡回ルートを変更するためのボタンや、ルート設定中の目的地を巡回ルートから削除するボタンを割り当てることもできる。
【図面の簡単な説明】
【００１６】
【図１】ナビゲーションコントローラのブロック構成図
【図２】本実施形態の概観図
【図３】ナビゲーションコントローラの目的地設定時の流れ図
【図４】目的地登録ボタン押下時の流れ図
【図５】目的地がすでに登録されている場合の目的地登録説明図
【符号の説明】
【００１７】
１  目的地登録ボタン
２  未巡回ボタン
３  前の目的地設定ボタン
４  次の目的地ボタン
５  電源スイッチ
６  記憶装置の挿入口
【図１】
2006145376.tif 000003
【図２】
2006145376.tif 000004
【図３】
2006145376.tif 000005
【図４】
2006145376.tif 000006
【図５】
2006145376.tif 000007